(57)【要約】【課題】力の軽減を図りアッパーカバーの組み付け作業性を向上させることが可能な筐体を提供する。また、この筐体を構成に含む電気接続箱やワイヤハーネスを提供する。【解決手段】自動車に配索されるワイヤハーネスは、この端末に電気接続箱１を備える。電気接続箱１の筐体２は、フレーム周壁７の縁１０で囲まれた上部開口部４をアッパーカバー５が回転移動して覆う構造を有する。アッパーカバー５は、押し込み凸部２２が形成される天井壁１６と、この天井壁１６に連成されるカバー周壁１７と、フレーム周壁７のフレーム側ロック部１３に対し嵌合するカバー側ロック部２１とを有する。押し込み凸部２２は、アッパーカバー５を押し込むための面として押し込み面２４を有する。この押し込み面２４は、カバー側ロック部２１がフレーム側ロック部１３に嵌合する直前の当接時において押し込み方向Ｓに対し略直交する平面形状に形成される。【選択図】図４
2020089152.tif 000002
【特許請求の範囲】
【請求項１】
縁に開口部が形成されるフレーム周壁と、該フレーム周壁に対し回転移動により前記開口部を覆うアッパーカバーとを備え、
該アッパーカバーは、押し込み凸部が形成される天井壁と、該天井壁に連成されるカバー周壁と、前記フレーム周壁のフレーム側ロック部に対し嵌合するカバー側ロック部とを有し、
前記押し込み凸部は、前記アッパーカバーを押し込むための面として押し込み面を有し、
該押し込み面は、前記カバー側ロック部が前記フレーム側ロック部に嵌合する直前の当接時において押し込み方向に対し略直交する平面形状に形成される
ことを特徴とする筐体。
【請求項２】
請求項１に記載の筐体において、
前記アッパーカバーには、前記縁に密着させるための弾性を有する防水用のパッキンが組み付けられる
ことを特徴とする筐体。
【請求項３】
請求項１又は２に記載の筐体において、
前記押し込み凸部には、前記押し込み面から前記回転移動に係る回転中心の側の前記天井壁に向けて斜面又は曲面が形成される
ことを特徴とする筐体。
【請求項４】
複数の電子部品が組み付けられる電子部品ブロックと、該電子部品ブロックを収容するための請求項１、２又は３に記載の筐体とを備える
ことを特徴とする電気接続箱。
【請求項５】
端末に請求項４に記載の電気接続箱を備えて自動車に配索される
ことを特徴とするワイヤハーネス。
【発明の詳細な説明】
【技術分野】
【０００１】
本発明は、開口部を有するフレーム周壁と、回転移動により開口部を覆うアッパーカバーとを備える筐体に関する。また、この筐体と、電子部品ブロックとを備える電気接続箱や、ワイヤハーネスにも関する。
【背景技術】
【０００２】
自動車に搭載される電気接続箱は、電子部品ブロックと、この電子部品ブロックを収容する筐体とを備えて構成される（例えば下記特許文献１参照）。筐体は、フレーム周壁を有するフレームと、アッパーカバーとを備えて構成される。アッパーカバーは、フレーム周壁の縁に囲まれた上部開口部を覆うような部材に形成される。筐体は、アッパーカバーの回転移動により上部開口部が覆われるとともに、フレーム及びアッパーカバーの各ロック部同士が嵌合して組み付けが完了するように形成される。
【先行技術文献】
【特許文献】
【０００３】
【特許文献１】特開２０１６−９６６７６号公報
【発明の概要】
【発明が解決しようとする課題】
【０００４】
上記従来技術にあっては、アッパーカバーをフレームに組み付ける際に、フレーム及びアッパーカバーの各ロック部同士を嵌合させるためとして、アッパーカバーの天井壁をフレーム側に向けて押し込む作業が行われる。各ロック部同士の嵌合直前においては、回転移動の途中になるアッパーカバーが傾いた状態にあることから、作業者は傾いた天井壁で手を滑らせずに確実にアッパーカバーを押し込む必要があるために大きな力を掛けることになる。従って、作業性が悪く力の軽減が必要であるという問題点を有する。
【０００５】
本発明は、上記した事情に鑑みてなされたもので、力の軽減を図りアッパーカバーの組み付け作業性を向上させることが可能な筐体を提供することを課題とする。また、この筐体を構成に含む電気接続箱やワイヤハーネスを提供することも課題とする。
【課題を解決するための手段】
【０００６】
上記課題を解決するためになされた請求項１に記載の本発明の筐体は、縁に開口部が形成されるフレーム周壁と、該フレーム周壁に対し回転移動により前記開口部を覆うアッパーカバーとを備え、該アッパーカバーは、押し込み凸部が形成される天井壁と、該天井壁に連成されるカバー周壁と、前記フレーム周壁のフレーム側ロック部に対し嵌合するカバー側ロック部とを有し、前記押し込み凸部は、前記アッパーカバーを押し込むための面として押し込み面を有し、該押し込み面は、前記カバー側ロック部が前記フレーム側ロック部に嵌合する直前の当接時において押し込み方向に対し略直交する平面形状に形成されることを特徴とする。
【０００７】
このような請求項１の特徴を有する本発明によれば、アッパーカバーの天井壁に押し込み凸部を形成し、この押し込み凸部をアッパーカバーの押し込み部分として用いることから、効率よく押し込む位置を作業者は把握することができる。また、押し込み凸部の押し込み面を、作業者が押し込む方向に対して略直交する平面形状に形成することから、ロック部同士の嵌合に必要な力を効率よく伝達することができる。すなわち、押し込む方向（力の方向）に対して押し込み面が略直交する平面形状であれば、力の分散が無く、集中した力を掛けることができる。その結果、押し込み面を真っ直ぐ押し込めば最低限の力でロック部同士を嵌合させることができる。この他、押し込み面を真っ直ぐ押し込むことができることから、作業者にとって手を滑らせずに確実にアッパーカバーを押し込むことができる。従って、本発明によれば、力の軽減を図りアッパーカバーの組み付け作業性を向上させることができるという効果を奏する。
【０００８】
請求項２に記載の本発明は、請求項１に記載の筐体において、前記アッパーカバーには、前記縁に密着させるための弾性を有する防水用のパッキンが組み付けられることを特徴とする。
【０００９】
このような請求項２の特徴を有する本発明によれば、アッパーカバーのパッキンを弾性変形させながら組み付け作業を行うことになったとしても、押し込み凸部を有するアッパーカバーであることから、ロック部同士の嵌合に必要な力を効率よく伝達することができるという効果を奏する。
【００１０】
請求項３に記載の本発明は、請求項１又は２に記載の筐体において、前記押し込み凸部には、前記押し込み面から前記回転移動に係る回転中心の側の前記天井壁に向けて斜面又は曲面が形成されることを特徴とする。
【００１１】
このような請求項３の特徴を有する本発明によれば、押し込み凸部に斜面又は曲面を形成することから、アッパーカバーの回転移動の際に作業者の指を掛け易くすることができる。従って、本発明によれば、作業性の向上に寄与することができるという効果を奏する。
【００１２】
また、上記課題を解決するためになされた請求項４に記載の本発明の電気接続箱は、複数の電子部品が組み付けられる電子部品ブロックと、該電子部品ブロックを収容するための請求項１、２又は３に記載の筐体とを備えることを特徴とする。
【００１３】
このような請求項４の特徴を有する本発明によれば、上記筐体の効果が得られることから、より良い電気接続箱を提供することができるという効果を奏する。
【００１４】
また、上記課題を解決するためになされた請求項５に記載の本発明のワイヤハーネスは、端末に請求項４に記載の電気接続箱を備えて自動車に配索されることを特徴とする。
【００１５】
このような請求項５の特徴を有する本発明によれば、上記筐体の効果が得られる電気接続箱を備えることから、より良いワイヤハーネスを提供することができるという効果を奏する。
【発明の効果】
【００１６】
本発明の筐体によれば、アッパーカバーをフレームに組み付ける際の力の軽減を図ることができ、以てアッパーカバーの組み付け作業性を従来例よりも向上させることができるという効果を奏する。また、本発明の電気接続箱及びワイヤハーネスによれば、上記効果の筐体を有することから、より良いものを提供することができるという効果を奏する。
【図面の簡単な説明】
【００１７】
【図１】本発明の筐体及び電気接続箱の一実施形態を示す図であり、カバー側ロック部がフレーム側ロック部に嵌合する直前の当接時の状態を示す斜視図である。
【図２】図１のアッパーカバーにおける押し込み凸部の拡大図である。
【図３】図１の筐体及び電気接続箱を正面から見た図である。
【図４】図３のＡ−Ａ線断面図（円内は押し込み凸部の拡大断面図）である。
【図５】図３のＢ−Ｂ線断面図（円内は押し込み凸部の拡大断面図）である。
【発明を実施するための形態】
【００１８】
自動車に配索されるワイヤハーネスは、この端末に電気接続箱を備える。電気接続箱は、複数の電子部品が組み付けられる電子部品ブロックと、この電子部品ブロックの組み付け先となる筐体とを備えて構成される。筐体は、フレーム周壁の縁で囲まれた開口部をアッパーカバーが回転移動して覆う構造を有する。アッパーカバーは、押し込み凸部が形成される天井壁と、この天井壁に連成されるカバー周壁と、フレーム周壁のフレーム側ロック部に対し嵌合するカバー側ロック部とを有する。押し込み凸部は、アッパーカバーを押し込むための面として押し込み面を有する。この押し込み面は、カバー側ロック部がフレーム側ロック部に嵌合する直前の当接時において押し込み方向に対し略直交する平面形状に形成される。
【実施例】
【００１９】
以下、図面を参照しながら実施例を説明する。図１は本発明の筐体及び電気接続箱の一実施形態を示す斜視図である。また、図２は押し込み凸部の拡大図、図３は図１の筐体及び電気接続箱を正面から見た図、図４及び図５は図３のＡ−Ａ線及びＢ−Ｂ線断面図（円内は押し込み凸部の拡大断面図）である。尚、図１の矢印Ｐは上下方向、矢印Ｑは左右方向、矢印Ｒは前後方向を示すものとする。
【００２０】
＜電気接続箱１の構成について＞
図１において、電気接続箱１は、外部に露出した状態でトラックに搭載される（一例であるものとする）。具体的には、トラックにおけるキャビンと荷台との間に搭載される（一例であるものとする）。このような電気接続箱１は、図示しない電子部品ブロックと、この電子部品ブロックを収容するための筐体２とを備えて構成される。また、電気接続箱１は、筐体２の内部にワイヤハーネス（図示省略）が引き込まれるように構成される。ワイヤハーネスは、この端末等の所定位置に電気接続箱１を備えて自動車に配索される。電気接続箱１は、後述する押し込み凸部２２を有し、この押し込み凸部２２が特徴部分になる。
【００２１】
＜図示しない電子部品ブロックについて＞
図１において、筐体２に収容される電子部品ブロックは、複数の電子部品が組み付けられる部材として備えられる。また、電子部品ブロックは、上記電子部品が所定回路に接続される部材として備えられる。具体的には、リレーが樹脂製のリレー組み付け部（符号省略）に組み付けられるとともに、ヒューズが樹脂製のヒューズ組み付け部（符号省略）に組み付けられるような部材として備えられる（電子部品ブロックの上記構成は一例であるものとする）。以上のような電子部品ブロックは、カセット式のものであり、後述するフレーム３に対して着脱自在に組み付けられる。電子部品ブロックに関しては、この名称をカセットブロックと読み替えてもよいものとする。
【００２２】
＜筐体２の構成について＞
図１において、筐体２は、絶縁性を有する樹脂製の部材の組み合わせであって、具体的には、上記図示しない電子部品ブロックが着脱自在に組み付けられるフレーム３と、このフレーム３の上部開口部４を覆うアッパーカバー５と、フレーム３の下部開口部（図示省略）を覆うロアカバー（図示省略）とを備えて構成される。このような筐体２には、固定脚部６が複数形成される。
【００２３】
＜フレーム３の構成について＞
図１、図３、図４、及び図５において、フレーム３は樹脂成形品であって、フレーム周壁７と、このフレーム周壁７の一側部８に形成される固定ベース９と、固定ベース９に形成される上記固定脚部６とを有して図示形状に形成される。フレーム周壁７は、矢印Ｐの上下方向にのびて、この高さがある外周壁のみで構成される（内周壁がある二重壁構造であってもよいものとする）。フレーム周壁７の先端は、上部開口部４を形成する縁１０になり、この縁１０がある部分には、アッパーカバー５に対する継ぎ目部分、すなわちフレーム側継ぎ目１１が形成される。フレーム周壁７の他側部１２（上記一側部８の反対に位置する側部）には、アッパーカバー５を係止するためのフレーム側ロック部１３が形成される。フレーム側ロック部１３は、本実施例において、他側部１２の左右に一つずつと、中央に一つの合計三つが形成される（数は一例であるものとする）。フレーム側ロック部１３は、特に符号を付さないが、案内面と突出先端面と係止面とを有する公知の突起形状に形成される。固定ベース９は、一側部８の上側に配置されて左右方向にのびる形状に形成される。固定ベース９には、アッパーカバー５を回転移動させるための突起係合部１４が形成される。この突起係合部１４には、アッパーカバー５の後述する突起１９が挿通される。尚、突起係合部１４及び突起１９の近傍の引用符号ＲＣは、アッパーカバー５の回転中心を示すものとする。本実施例においては、突起係合部１４及び突起１９を採用するが、これに限らず例えば公知のヒンジを採用してアッパーカバー５を回転移動させるようにしてもよいものとする。固定脚部６には、固定用の図示しないボルトの挿通部分としてボルト挿通孔１５が形成される。
【００２４】
＜アッパーカバー５の構成について＞
図１ないし図５において、アッパーカバー５は、上記の如くフレーム３の上部開口部４を覆うための樹脂成形品であって、天井壁１６と、この天井壁１６の周縁に連続するカバー周壁１７と、カバー周壁１７の一側部１８に形成される複数の突起１９と、カバー周壁１７の他側部２０に形成される複数のカバー側ロック部２１とを有して図示形状に形成される。天井壁１６は、この外面が平坦な面に形成される。天井壁１６は、本実施例において、上部開口部４に合わせた平面視略長方形状の壁に形成される。このような天井壁１６には、本発明の特徴部分である押し込み凸部２２（後述するものとする）が一対形成される。カバー周壁１７は、この下側の部分が一回り大きくなる段付き形状に形成される。一回り大きくなる部分には、カバー側ロック部２１が配置形成される。カバー側ロック部２１は、フレーム周壁７の三つのフレーム側ロック部１３に対しそれぞれ係止されるような部分に形成される。カバー側ロック部２１は、特に符号を付さないが、下方にのびる一対の可撓アームと、この可撓アームの先端に連成されるブリッジ状の被係止部とを有して略門型の形状に形成される。尚、上記一回り大きくなる部分における引用符号２３は、カバー側継ぎ目を示す。カバー側継ぎ目２３は、フレーム周壁７のフレーム側継ぎ目１１に係合する部分に形成される。カバー側継ぎ目２３とフレーム側継ぎ目１１が係合すると、防水構造の部分が形成される。この他、図４及び図５の引用符号２８で示す溝部分に、防水用のパッキン（図示省略）を組み付けたアッパーカバー５を採用してもよいものとする。図示しないパッキンは、フレーム周壁７の縁１０に押し潰されて（弾性変形して）密着することにより、水分の浸入を防止することができるように形成される（図示しないパッキンを弾性変形させるために、アッパーカバー５の組み付けに力が必要になるが、以下で説明する押し込み凸部２２により、その力を低減することができる）。
【００２５】
＜押し込み凸部２２について＞
図１ないし図５において、本発明の特徴部分である押し込み凸部２２は、カバー側ロック部２１がフレーム側ロック部１３に嵌合する直前の当接時（図１、図３、図４、及び図５参照。カバー側ロック部２１の被係止部がフレーム側ロック部１３の案内面に当接した状態）において、また、アッパーカバー５の組み付けの際の回転移動をさせる作業において、作業者が例えば親指を掛けることのできる突出した部分に形成される。押し込み凸部２２は、左右方向にのびるリブ形状に形成される。このリブ状の押し込み凸部２２は、カバー周壁１７の他側部２０に一番近い位置に配置形成される。押し込み凸部２２は、左右に位置するフレーム側ロック部１３に合わせて一対形成される。押し込み凸部２２は、押し込み面２４と、曲面２５と、起立面２６と、左右の側面２７とを有して図示形状に形成される。押し込み面２４は、アッパーカバー５を押し込むための面として平面形状に形成される。この平面形状の押し込み面２４は、矢印Ｓで示す押し込み方向（ここでは矢印Ｓが上下方向Ｐと同じ方向になる）に対し略直交する平面になるように形成される。もう少し具体的に説明をすれば、図中の天井壁１６の上面が傾いているのに対し、押し込み面２４は水平方向の面になるように形成される。押し込み面２４は、天井壁１６の上面と非平行な面に形成される。押し込み面２４は、作業者の親指が乗せられる程度の面積が確保され且つ親指の幅以上に延在する面に形成される。曲面２５は、フレーム３の固定脚部６側に向く面であって、本実施例においては作業者の指が掛かり易くなるような形状（別な言い方をすれば指が滑らないような形状）として外側に凸となる曲面形状が採用される。尚、斜面となる形状であってもよいものとする。起立面２６は、カバー側ロック部２１側に配置される。起立面２６は、押し込み面２４に対し直交する方向の面に形成される。尚、特に符号を付さないが、上記面同士の連続部分には曲面が形成される。押し込み凸部２２には、エッジになるような部分が生じないものとする。本実施例においては、押し込み凸部２２が二つ形成されるが、中央のカバー側ロック部２１に合わせて一つのみであってもよいものとする。
【００２６】
＜効果について＞
以上、図１ないし図５を参照しながら説明してきたように、本発明の一実施形態である筐体２によれば、アッパーカバー５の天井壁１６に押し込み凸部２２を形成し、この押し込み凸部２２をアッパーカバー５の押し込み部分として用いることから、効率よく押し込む位置を作業者は把握することができる。また、押し込み凸部２２の押し込み面２４を、作業者が押し込む方向（押し込み方向Ｓ）に対して略直交する平面形状に形成することから、フレーム側ロック部１３及びカバー側ロック部２１同士の嵌合に必要な力を効率よく伝達することができる。すなわち、押し込み方向Ｓ（力の方向）に対して押し込み面２４が略直交する平面形状であれば、力の分散が無く、集中した力を掛けることができる。その結果、押し込み面２４を真っ直ぐ押し込めば最低限の力でフレーム側ロック部１３及びカバー側ロック部２１同士を嵌合させることができる。この他、押し込み面２４を真っ直ぐ押し込むことができることから、作業者にとって手を滑らせずに確実にアッパーカバー５を押し込むことができる。従って、本発明によれば、力の軽減を図りアッパーカバー５の組み付け作業性を向上させることができるという効果を奏する。
【００２７】
本発明は本発明の主旨を変えない範囲で種々変更実施可能なことは勿論である。
【符号の説明】
【００２８】
１…電気接続箱、  ２…筐体、  ３…フレーム、  ４…上部開口部（開口部）、  ５…アッパーカバー、  ６…固定脚部、  ７…フレーム周壁、  ８…一側部、  ９…固定ベース、  １０…縁、  １１…フレーム側継ぎ目、  １２…他側部、  １３…フレーム側ロック部、  １４…突起係合部、  １５…ボルト挿通孔、  １６…天井壁、  １７…カバー周壁、  １８…一側部、  １９…突起、  ２０…他側部、  ２１…カバー側ロック部、  ２２…押し込み凸部、  ２３…カバー側継ぎ目、  ２４…押し込み面、  ２５…曲面、  ２６…起立面、  ２７…側面、  ２８…溝部分、  ＲＣ…回転中心、  Ｓ…押し込み方向
【図１】
2020089152.tif 000003
【図２】
2020089152.tif 000004
【図３】
2020089152.tif 000005
【図４】
2020089152.tif 000006
【図５】
2020089152.tif 000007